(57)【要約】    【課題】  自己の体重を利用して脇のつぼを容易に刺激することができる脇用指圧具を提供すること。    【解決手段】  本考案では、脇用指圧具において、台座の上部に腰から脇までの長さ以上の支柱を取付け、この支柱の上端に半球状の指圧部を形成することにした。特に、台座と支柱とを分離可能とするとともに、台座と支柱との間に高さ調節部品を介設できるように構成することにした。また、指圧部の横幅を支柱の横幅よりも広くすることにした。【選択図】      図１
0003116342.tif 000002
【実用新案登録請求の範囲】
【請求項１】
体重を利用して脇のつぼを刺激する脇用指圧具であって、
台座の上部に腰から脇までの長さ以上の支柱を取付け、この支柱の上端に半球状の指圧部を形成したことを特徴とする脇用指圧具。
【請求項２】
台座と支柱とを分離可能とするとともに、台座と支柱との間に高さ調節部品を介設できるように構成したことを特徴とする請求項１に記載の脇用指圧具。
【請求項３】
指圧部の横幅を支柱の横幅よりも広くしたことを特徴とする請求項１又は請求項２に記載の脇用指圧具。
【考案の詳細な説明】
【技術分野】
【０００１】
本考案は、体重を利用して脇のつぼを刺激する脇用指圧具に関するものである。
【背景技術】
【０００２】
従来より、人間の身体には様々なつぼが存在していることが広く知られている。そして、この身体に存在するつぼを指圧する道具として各種の指圧具が考案されている。
【０００３】
特に、比較的手軽に自らの身体のつぼを指圧できる指圧具としては、自己の体重を利用してつぼを指圧する指圧具が考案されている。
【０００４】
この自己の体重を利用してつぼを指圧する指圧具としては、特許文献１に開示されているような台座の上部に半球状の突起を形成したものが広く知られている。
【０００５】
この指圧具では、床上に台座を載置して、突起の上部に足裏や背中を載せ、突起に自己の体重をかけることによって足裏や背中に存在するつぼを刺激するようにしていた。
【特許文献１】特開２００１−２９４２５号公報
【考案の開示】
【考案が解決しようとする課題】
【０００６】
上述したように、従来の体重を利用してつぼを指圧する指圧具にあっては、容易に自己の体重をかけて刺激できる足裏や背中のつぼを指圧するものが広く知られていた。
【０００７】
ところが、人間の身体に存在するつぼは、足裏や背中だけではなく、脇にも多く存在していることが古くから知られている。
【０００８】
それにもかかわらず、従来の体重を利用してつぼを指圧する指圧具においては、脇に存在するつぼを刺激できる指圧具が考案されていなかった。
【課題を解決するための手段】
【０００９】
そこで、請求項１に係る本考案では、体重を利用して脇のつぼを刺激する脇用指圧具であって、台座の上部に腰から脇までの長さ以上の支柱を取付け、この支柱の上端に半球状の指圧部を形成することにした。
【００１０】
また、請求項２に係る本考案では、前記請求項１に係る本考案において、台座と支柱とを分離可能とするとともに、台座と支柱との間に高さ調節部品を介設できるように構成することにした。
【００１１】
また、請求項３に係る本考案では、前記請求項１又は請求項２に係る本考案において、指圧部の横幅を支柱の横幅よりも広くすることにした。
【考案の効果】
【００１２】
そして、本考案では、以下に記載する効果を奏する。
【００１３】
すなわち、請求項１に係る本考案では、体重を利用して脇のつぼを刺激する脇用指圧具であって、台座の上部に腰から脇までの長さ以上の支柱を取付け、この支柱の上端に半球状の指圧部を形成しているために、床上に台座を載置するとともに、支柱の上端の指圧部を脇に当て、その状態で自己の体重を脇用指圧具にかけるだけで、脇に存在するつぼを容易に刺激することができ、自分で自己の脇のつぼを容易に指圧することができる。
【００１４】
また、請求項２に係る本考案では、台座と支柱とを分離可能とするとともに、台座と支柱との間に高さ調節部品を介設できるように構成しているために、台座と支柱との間に介設する高さ調節部品の有無や高さによって台座から支柱の先端の指圧部までの高さを容易に変更することができ、１個の脇用指圧具で座高の異なる様々な人の脇のつぼを容易に指圧することができる。
【００１５】
また、請求項３に係る本考案では、指圧部の横幅を支柱の横幅よりも広くしているために、支柱の先端の指圧部を脇に当てたときに支柱が身体の側部や腕に当たることがなく、脇用指圧具の使用者に不快感を与えないようにすることができる。
【考案を実施するための最良の形態】
【００１６】
以下に、本考案に係る脇用指圧具の具体的な構造について図面を参照しながら説明する。
【００１７】
脇用指圧具１は、図１及び図２に示すように、略長円板状の台座２の中央上部に略円柱状の支柱３を２個の略円筒状の高さ調節部品4,5を介して取付け、支柱３の先端に略半球状の指圧部６を形成している。
【００１８】
台座２は、下側中央部に円形の下側ザグリ部７を形成するとともに、上側中央部に下側ザグリ部７に連通する円形の上側ザグリ部８を形成し、下側ザグリ部７の上面に円板状の座板９を３本のビス10で固定し、この座板９の中央に形成した貫通孔11に座板９の下側からボルト12を挿通し、このボルト12を座板９の上側においてナット13で締結している。ここで、ボルト12は、２個の高さ調節部品4,5を縦に重ねた高さよりも長いものを用いている。
【００１９】
支柱３は、使用者14の腰15（ベルト位置：図４参照。）から脇16（図４参照。）までの長さよりも長くしており、下端中央部に円形のザグリ部17を形成するとともに、このザグリ部17の上側中央部に円形の挿通孔18を形成し、さらには、下端に円板状の支持板19を３本のビス20で固定し、この支持板19の中央に貫通孔21を形成するとともに、支持板19の上側中央部にザグリ部17に収容されるナット22を溶着している。
【００２０】
この支柱３は、台座２に立設したボルト12を支持板19の貫通孔21に挿通させるとともに、ボルト12にナット22をねじ込むことによって、台座２に支柱３を取付けることができる。その際に、ボルト12の先端部分は支柱３の挿通孔18に収容される。
【００２１】
また、支柱３は、上端に支柱３の横幅（外径）よりも広い横幅（外径）の略半球状の指圧部６をクビレ部23を介して形成している。
【００２２】
高さ調節部品4,5は、それぞれ高さだけが異なっており、中央部に上下に貫通する貫通孔24,25を形成している。
【００２３】
この高さ調節部品4,5は、台座２に立設したボルト12を貫通孔24,25に挿通することによって、台座２の上部と支柱３の下端との間に介設できるようになっている。
【００２４】
これにより、脇用指圧具１は、図３に示すように、高さ調節部品4,5を使用せずに台座２に直接的に支柱３を取付けた状態（図３(a)）、高さの低い高さ調節部品４だけを台座２と支柱３との間に介設した状態（図３(b)）、高さの高い高さ調節部品５だけを台座２と支柱３との間に介設した状態（図３(c)）、２個の高さ調節部品4,5を台座２と支柱３との間に介設した状態（図３(d)）の４通りの高さの異なる状態にすることができ、これにより、台座２の下端から指圧部６の上端までの高さを調節することができるようになっている。
【００２５】
脇用指圧具１は、以上のように構成しており、図４に示すように、床上又は椅子の着座面上などに台座２を載置し、支柱３の上端の指圧部６を脇16に当て、その状態で使用者14の体重を脇用指圧具１にかけることにより、脇16に存在するつぼを容易に刺激することができ、自分で自己の脇16のつぼを容易に指圧することができる。
【００２６】
しかも、上記構成の脇用指圧具１では、台座２と支柱３とを分離可能とするとともに、台座２と支柱３との間に高さ調節部品4,5を介設できるように構成しているために、台座２と支柱３との間に介設する高さ調節部品4,5の有無や高さによって台座２から支柱３の先端の指圧部６までの高さを容易に変更することができ、１個の脇用指圧具１で座高の異なる様々な人の脇16のつぼを容易に指圧することができる。
【００２７】
また、上記脇用指圧具１では、指圧部６の横幅を支柱３の横幅よりも広くしているために、支柱３の先端の指圧部６を脇16に当てたときに支柱３が身体の側部や腕に当たることがなく、脇用指圧具１の使用者14に不快感を与えないようにすることができる。
【図面の簡単な説明】
【００２８】
【図１】本考案に係る脇用指圧具を示す平面図（ａ）、正面図（ｂ）、底面図（ｃ）、側面図（ｄ）。
【図２】同側面断面図。
【図３】脇用指圧具の高さを変更した状態を示す説明図。
【図４】脇用指圧具の使用状態を示す説明図。
【符号の説明】
【００２９】
１  脇用指圧具                              ２  台座
３  支柱                                    4,5  高さ調節部品
６  指圧部                                  ７  下側ザグリ部
８  上側ザグリ部                            ９  座板
10  ビス                                    11  貫通孔
12  ボルト                                  13  ナット
14  使用者                                  15  腰
16  脇                                      17  ザグリ部
18  挿通孔                                  19  支持板
20  ビス                                    21  貫通孔
22  ナット                                  23  クビレ部
24,25  貫通孔
【図１】
0003116342.tif 000003
【図２】
0003116342.tif 000004
【図３】
0003116342.tif 000005
【図４】
0003116342.tif 000006